(57)【要約】【課題】パネル材同士の嵌設固定がより確実かつより安定的に行われるパネル材。【解決手段】側面および脚底面を有した前記継手具（２.１）の脚（１２.１）ならびに底部に対向する継手具（２.１）の基底は、２枚のパネル材（１.１、１.２）が互いに組み付けられる前および後に、突出部の内側面およびロックアームの底部（３５）と接触しており、ロックアームの突出部（１５）は底方向に楔形状を有し、突出部の内側面（１７）はロックアームの底部ないしパネル材（１.１）の底面に対して鋭角をなして傾斜し、ロック転動部（２０）は２枚のパネル材の嵌合連結に際して継手具（２.１）の頭部（５.１）を押圧する平坦な押圧面（２１.１）を有し、これにより頭部（５.１）は溝底の方向に傾倒させられる。【選択図】図５
2012233400.tif 000002
【特許請求の範囲】
【請求項１】
すでに敷設されたパネル材に対して押し入る手段（１００）を備え、土台（１１）上での同タイプのパネル材同士の嵌合連結が可能なパネル材であって、
前記パネル材（１.１、１.２）はそれぞれ、当該パネル材の有用面（６）ないし底面（２６）に対して垂直をなす突合せ面（７.１、７.２）に対応付けられた互いに対向する特定形状形成された第１側面（８.１）及び第２側面（８.２）を有し、
前記第１側面（８.１）の前記突合せ面（７.１）は前記パネル材（１.１）の前記第１側面（８.１）に沿って延びる第１溝（９）につながっており、
前記パネル材（１.１）の前記第１側面（８.１）の前記突合せ面（７.１）を越えてロックアーム（１４）が突き出し、
前記ロックアーム（１４）は前記有用面（６）の方向を向いた台形状の突出部（１５）を始端とし、前記突出部（１５）はまた前記ロックアーム（１４）の底部（３５）を終端とする内側面（１７）を有し、
前記第１溝（９）は前記第１側面（８.１）の突合せ面（７.１）から後方に引っ込んだ溝底（１０）を有し、
前記パネル材（１.１）の前記第１溝（９）には、一方のパネル材（１.１）が敷設された状態で、対応する他方のパネル材（１.２）の前記第２側面（８.２）と連携する長細い、少なくとも部分的に柔軟な、独立した別体の継手具（２.１〜２.１５）が少なくとも部分的に嵌設され、
前記継手具（２.１〜２.１５）は変形前の状態で樋形の断面（Ｑ１〜Ｑ１５）を有すると共に、基底部（４２）とアーム部（４３）とからなる少なくとも部分的にアーチ形の胴体（３）を有し、
少なくとも部分的に半割れ円筒状または半割れ楕円筒状をなす内周面（４）を有する前記胴体（３）は前記継手具の断面（Ｑ１〜Ｑ１５）で見て、前記内周面の一方の端縁部で頭部（５.１；５.２；５.３；５.４；５.５）に移行し、他方の端縁部で脚（１２.１；１２.２；１２.３；１２.４；３０）に移行し、
前記脚（１２.１；１２.２；１２.３；１２.４；３０）は、嵌設された状態で前記突出部（１５）の前記内側面（１７）に対向する外側を向いた側面（２４）と、該側面（２４）に連続する脚底面（２７）とを有し、
前記継手具（２.１〜２.１５）の前記頭部（５.１；５.２；５.３；５.４；５.５）は継手具が嵌設された状態で有用面（６）の方向を向き、
前記基底部（４２）に連続する、前記頭部（５.１；５.２；５.３；５.４；５.５）を終端とする前記アーム部（４３）は、前記継手具が嵌設された状態で傾倒可能に配置されているために、パネル材が互いに組み付けられる際に前記アーム部（４３）は前記頭部（５）と共に前記溝底（１０）の方向に傾倒可能であり、
前記第２側面（８.２）は、前記２枚のパネル材（１.１、１.２）が互いに組み付けられる際に、前記継手具（２.１〜２.１５）の前記内周面（４）によって作り出されている内部空間に入り込むロック転動部（２０）を有し、
前記ロック転動部（２０）は前記パネル材（１.２）の底面（２６）の方向に向かって開いた切り欠き部（３７）につながっており、
前記ロックアーム（１４）の底部（３５）と、前記第１溝（９）ならびに前記突出部（１５）の前記傾斜した内側面（１７）とは、前記継手具（２.１〜２.１５）を収容するための嵌設座（６０）を形成し、
前記頭部（５.１；５.２；５.３）は前記継手具（２.１〜２.１５）が前記第１溝（９）に嵌合した状態で少なくとも部分的に前記第１溝（９）の第１溝側面（１３）に圧接するように構成され、
さらに、
側面（２４）および脚底面（２７）を有した前記継手具の脚（１２.１；１２.２；１２.３；１２.４；３０）ならびに前記底部（３５）に対向する前記継手具の基底部（４２）は、２枚のパネル材（１.１、１.２）が互いに組み付けられる前および後に、前記突出部（１５）の前記内側面（１７）および前記ロックアーム（１４）の前記底部（３５）と接触しており、
前記ロックアーム（１４）の前記突出部（１５）は底層（４０）の方向に楔形状を有し、前記突出部の前記内側面（１７）は前記ロックアーム（１４）の前記底部（３５）ないし前記パネル材（１.１）の前記底面（２６）に対して鋭角（α）をなして傾斜し、
前記ロック転動部（２０）は２枚のパネル材の嵌合連結に際して前記継手具の前記頭部（５.１）を押圧する平坦な少なくとも１つの押圧面（２１.１）を有し、これにより前記頭部は溝底（１０）の方向に傾倒させられることを特徴とするパネル材。
【請求項２】
前記押圧面（２１.１；２１.２）は前記有用面（６）に対して斜めまたは垂直に配置され、前記ロック転動部（２０）は丸み付けられた少なくとも１つの表面（４６）を有することを特徴とする請求項１に記載のパネル材。
【請求項３】
前記ロック転動部（２０）の丸み付けられた前記表面（４６）は前記有用面（６）に対して斜めまたは垂直に配置された平坦な面（５９）を経て前記切り欠き部（３７）につながっていることを特徴とする請求項２に記載のパネル材。
【請求項４】
前記頭部（５.１；５.２；５.３；５.４；５.５）は前記継手具が嵌設された状態で前記第１溝側面（１３）に対向する平坦な圧接面（１８）を有し、該圧接面はまた傾斜したまたは丸み付けられた滑り面（２２；５３）につながっていることを特徴とする請求項１に記載のパネル材。
【請求項５】
前記頭部（５.１；５.２；５.３；５.４；５.５）は前記圧接面（１８）とは反対側に形成された、前記滑り面（２２；５３）と前記アーム部（４３）の間を延びるもう一つの平坦な圧接面（６５）を有し、
前記第２の圧接面（６５）は前記継手具が嵌設された状態で、前記ロック転動部（２０）が押し込まれた後、前記ロック転動部（２０）の平坦な係合支持面（６４）と接触し、かつ、前記有用面（４）に対して平行または斜めに配置されていることを特徴とする請求項４に記載のパネル材。
【請求項６】
前記第１溝（９）の前記第１溝側面（１３）は前記有用面（６）と平行平面をなして延びていることを特徴とする請求項１に記載のパネル材。
【請求項７】
前記第１溝（９）は前記溝底（１０）から開始して斜めに延びる第２溝側面（２３）を有し、該溝側面はまた前記ロックアーム（１４）の底部（３５）につながっていることを特徴とする請求項１〜６のいずれか１項に記載のパネル材。
【請求項８】
前記ロックアーム（１４）の底部（３５）には前記側面（８.１）の長手方向と平行に延びる窪み（３６）が形成されていることを特徴とする請求項１または７に記載のパネル材。
【請求項９】
前記脚（１２.１；１２.２；１２.３；１２.４；３０）の前記側面（２４）は脚底面（２７）とは反対側に位置する縦長の端縁（１６）を経て前記胴体（３）の前記内周面（４）につながっていることを特徴とする請求項１に記載のパネル材。
【請求項１０】
前記継手具（２.１；２.２；２.３；２.４；２.５；２.６；２.７；２.８；２.１５）と連携する前記パネル材（１.２）の前記突合せ面（７.２）は該突合せ面（７.２）から後方に引っ込んだ斜面（１９）を経て前記ロック転動部（２０）につながっており、
前記斜面（１９）は前記ロック転動部（２０）との間に鋭角をなす凹湾曲移行部（２５）を形成し、前記頭部（５.１；５.２）は、前記ロック転動部（２０）が前記継手具に嵌設された後に、前記凹湾曲移行部（２５）に支持されることを特徴とする請求項１に記載のパネル材。
【請求項１１】
前記継手具（２.９；２.１０；２.１１；２.１２；２.１３；２.１４）と連携する前記パネル材（１.２）の前記突合せ面（７.２）は台形状の溝（５２）を経て前記ロック転動部（２０）につながっており、
前記頭部（５.３）は、前記ロック転動部（２０）が前記継手具（２.９；２.１０；２.１１；２.１２）に嵌設された後に、前記台形状の溝（５２）に係合することを特徴とする請求項１に記載のパネル材。
【請求項１２】
前記脚（１２.１；１２.２；１２.３；１２.４）はリブ状であることを特徴とする請求項１に記載のパネル材。
【請求項１３】
前記継手具（２.９；２.１０；２.１１；２.１２；２.１３；２.１４）の半割れ円筒状または半割れ楕円筒状をなす前記内周面（４）は平坦な帯状の内側面（５４）を経てリブ状の前記脚（１２.３；１２.４）の縦長の端縁（１６）で終わっていることを特徴とする請求項１に記載のパネル材。
【請求項１４】
前記端縁（１６）に連続する平坦な帯状の内側面（５４）は前記脚（１２.３）の外側を向いた前記側面（２４）との間に鋭角（γ）を形成することを特徴とする請求項１３に記載のパネル材。
【請求項１５】
前記端縁（１６）に連続する平坦な帯状の内側面（５４）は前記脚（１２.４）の外側を向いた前記側面（２４）と平行をなして延びていることを特徴とする請求項１３に記載のパネル材。
【請求項１６】
前記ロックアーム（１４）の前記底部（３５）と、前記突出部（１５）の前記内側面（１７）と、前記突出部（１５）とは反対側に位置して前記底部（３５）を境界付ける溝側面（３３.１；３３.２）とが第２溝（５０；６１；６２）を形成し、
前記継手具（２.５；２.６；２.７；２.８）の前記基底部（４２）は前記第２溝（５０；６１；６２）に固定可能であることを特徴とする請求項１〜１５のいずれか１項に記載のパネル材。
【請求項１７】
前記第２溝（５０）は有用面（６）の方向に向かってテーパーし、前記突出部（１５）の前記内側面（１７）は前記第２溝の溝側面（３３.１；３３.２）との間に鋭角（β）を形成することを特徴とする請求項１６に記載のパネル材。
【請求項１８】
前記継手具（２.６；２.７；２.８）は前記基底部（４２）から可傾式アーム部（４３）への移行領域（４７）に、前記継手具（２.６；２.７；２.８）の長手方向に延びる、外側に突き出した少なくとも１つの突起（４８.１；４８.２；４８.３）を有し、該突起は前記継手具（２.６；２.７；２.８）が嵌設された状態で前記第２溝（５０）の前記の溝側面（３３.１；３３.２；３３.３）に接触していることを特徴とする請求項１６または１７に記載のパネル材。
【請求項１９】
前記継手具（２.９；２.１０；２.１３；２.１４）は前記継手具（２.９；２.１０；２.１３；２.１４）の長手方向に延びる少なくとも部分的に弾性変形可能な、外側に突き出した少なくとも１つのリブ（５５）を有し、該リブは前記基底部（４２）から前記の可傾式アーム部（４３）への移行領域（４７）から開始して、前記継手具の断面（Ｑ９；Ｑ１０；Ｑ１３；Ｑ１４）で見て、変形前の前記アーム部（４３）に対して斜めをなして配置され、前記継手具が嵌設された状態で前記第１溝（９）の傾斜した前記溝側面（２３）に接触していることを特徴とする請求項１から１８のいずれか１項に記載のパネル材。
【請求項２０】
前記継手具（２.１１；２.１２）は少なくとも部分的に弾性変形可能な、外側に突き出した少なくとも１つのタング（５６.１；５６.２；５６.３；５６.４；５６.５）を有し、該タングは前記基底部（４２）から傾倒可能な前記アーム部（４３）への移行領域（４７）から開始して、前記継手具の断面（Ｑ１１；Ｑ１２）で見て、変形前の前記アーム部（４３）に対して斜めをなして配置され、前記継手具が嵌設された状態で前記第１溝（９）の傾斜した前記溝側面（２３）に接触していることを特徴とする請求項１から１９のいずれか１項に記載のパネル材。
【請求項２１】
前記タング（５６.１、５６.２、５６.３、５６.４、５６.５）は前記継手具（２.１１；２.１２）の胴体（３）と一体の材料で製造され、それぞれ１個の窓（５８.１、５８.２、５８.３、５８.４、５８.５）を形成していることを特徴とする請求項２０に記載のパネル材。
【請求項２２】
前記頭部（５.１；５.２；５.３；５.４；５.５）は上方から圧接面（１８）を眺めた場合に帯状をなしていると共に、少なくとも外側短辺の方向にテーパー形成しており、斜めに配置された押し込みエッジ（４９.１、４９.２）が形成されていることを特徴とする請求項１から２１のいずれか１項に記載のパネル材。
【請求項２３】
前記頭部（５.１；５.２；５.３；５.４；５.５）を担持する前記アーム部（４３）の可傾性を保持しつつ、前記ロックアーム（１４）に設けられた嵌設座（６０）に少なくとも部分的に機械式圧嵌めされて同所に固定された少なくとも１つの継手具（２.１〜２.１５）を備えていることを特徴とする請求項１から２２のいずれか１項に記載のパネル材。
【発明の詳細な説明】
【技術分野】
【０００１】
本発明は、すでに敷設されたパネル材に対して押し入る手段を備えた、土台上での同タイプのパネル材同士の嵌合連結が可能なパネル材に関する。
【背景技術】
【０００２】
この種のパネル材は国際公開公報第２００８／００４９６０号（特許文献１）から公知である。その図６ａ〜６ｄから理解できるように、すでに敷設された一方のパネル材の半円形の凹欠には、ほぼブーメラン形の、シーソー様に作用する継手具が嵌設されており、該継手具はカウンタパネルによりてこの原理で、該継手具の厚い方の端縁が、パネル連結結合の断面で見て、該端縁に適合したカウンタパネルの溝に係合するまで可動される。この別体の継手具は、歩行面に対して実質的に垂直方向におけるパネル材のロッキングを保証することを役割としている。他方、水平方向のロッキングの役割は、従来のように、ロックアームがその突出部によって引き受ける。この公知の継手具はカウンタパネル方向を向いた付加的な専用の突出部を有しているとはいえ、該突出部は単に既存の水平方向ロッキングの補強を狙いとしているにすぎない。この公知の嵌合構造の短所は、上記継手具が、２枚のパネル材が互いに組み付けられる前に、係合溝から比較的容易に逸脱することがあるという点であり、特にこの継手具の材料がばね弾性を有している場合にその傾向が強い。従って、このような形態の継手具の安定性は不十分であると思われる。
【０００３】
ドイツ登録実用新案公報第２０２００９００４５３０号（特許文献２）は、特性の相違する、特に、柔軟性の相違する領域を有する同時押出されたプラスチックスト突出部からなる独立した別体の継手具を含んでなり、脚を有する基底部とパネルの底方向を向いた頭部とに継手具を区分するヒンジが継手具の１領域をなすように構成した水平方向および垂直方向に作用するロッキングシステムを形成する連結部品を備えたフロアパネルを開示している。短所は、継手具を組み付ける際に、継手具とくに継手具の脚がその座から比較的容易に逸脱するという点である。
【０００４】
ドイツ特許公開公報第１０２３７３９７号（特許文献３）には、窓封止用プロファイル材（特定の幾何形状断面が形成された形材）に類似した、中空チャンバを備えた一体形または二体形の弾性継手具の一連の異なった実施形態が開示されている。さらに、その図５から、一方のパネルの側面を越えて突き出した、ポンチと称されるセンターリブが相手側のパネルの溝に圧嵌めされたＣ形材の内部空間に頭部で係合する２部分からなるアンカー状の継手具が読み取れる。互いに連結結合された双方のパネルの特定形状形成された側面はパネルの歩行面に対して実質的に斜めに延びており、その際、継手具の連結された部分は垂直に側面の方向に向いている。この場合、継手具の双方の部分は継手具の縦軸に対して鏡像対称的な構造を有している。図５に示された、こうして形成された二体形継手具によるパネル連結結合の短所は、互いに連結結合されたフロアパネルの事後的な切り離しが実現不能であるという点にある。また、フロアパネル相互の連結結合ないし土台上へのフロアパネルの敷設も、水平方向の組み付けが公知の木槌を用いては不可能であると共に、旋回運動による組み付けも特に困難であるために、問題となる。
【０００５】
国際公開公報第００／４７８４１号（特許文献４）は、フロアパネルの溝に嵌設された、内側を向いた屈曲した端縁領域を有する弾性プロファイル材を開示している。この実施形態によるプロファイル材にも、該プロファイル材が同じくその嵌設座から比較的容易に逸脱することがあるというリスクが潜んでいる。
上記に加えて、シーソーのような動きをするその他の継手具の複数の実施形態も知られている。
【先行技術文献】
【特許文献】
【０００６】
【特許文献１】国際公開公報第２００８／００４９６０号
【特許文献２】ドイツ登録実用新案公報第２０２００９００４５３０号
【特許文献３】ドイツ特許公開公報第１０２３７３９７号
【特許文献４】国際公開公報第００／４７８４１号
【発明の概要】
【発明が解決しようとする課題】
【０００７】
本発明の目的は、多角形状の板状パネル材を独立した別体の継手具を用いて互いに連結結合するパネル材を提供することであって、その際、シーソーのような動きをともなわずに、パネル材同士の嵌設固定がより確実かつより安定的に行われることが要望される。
なお、本発明の出発技術は、すでに敷設されたパネル材に対して押し入る手段を備え、土台上での同タイプのパネル材同士の嵌合連結が可能なパネル材である。より詳しくは、前記パネル材はそれぞれ、当該パネル材の有用面ないし底面に対して垂直をなす突合せ面に対応付けられた互いに対向する特定形状形成された第１側面及び第２側面を有し、前記第１側面の前記突合せ面は前記パネル材の前記第１側面に沿って延びる第１溝につながっている。前記パネル材の前記第１側面の前記突合せ面を越えてロックアームが突き出し、前記ロックアームは前記有用面の方向を向いた台形状の突出部を始端とし、前記突出部はまた前記ロックアームの底部を終端とする内側面を有し、前記第１溝は前記第１側面の突合せ面から後方に引っ込んだ溝底を有し、前記第１溝には、一方パネル材が敷設された状態で、対応する他方のパネル材の前記第２側面と連携する長細い、少なくとも部分的に柔軟な、独立した別体の継手具が少なくとも部分的に嵌設される。前記継手具は変形前の状態でほぼ樋形の断面を有すると共に、基底部とアーム部とからなる少なくとも部分的にアーチ形の胴体を有し、少なくとも部分的に半割れ円筒状または半割れ楕円筒状をなす内周面を有する前記胴体は前記継手具の断面で見て、前記内周面の一方の端縁部で頭部に移行し、他方の端縁部で脚に移行し、前記脚は、嵌設された状態で前記突出部の前記内側面に対向する外側を向いた側面と、該側面に連続する脚底面とを有する。前記継手具の前記頭部は継手具が嵌設された状態で有用面の方向を向き、前記基底部に連続する、前記頭部を終端とする前記アーム部は、前記継手具が嵌設された状態で傾倒可能に配置されているために、パネル材が互いに組み付けられる際に前記アーム部は前記頭部と共に前記溝底の方向に傾倒可能である。前記第２側面は、前記２枚のパネル材が互いに組み付けられる際に、前記継手具の前記内周面によって作り出されている内部空間に入り込むロック転動部を有する。前記ロック転動部は前記パネル材の底面の方向に向かって開いた切り欠き部につながっており、前記ロックアームの底部と、前記第１溝ならびに前記突出部の前記傾斜した内側面とは、前記継手具を収容するための嵌設座を形成し、前記頭部は前記継手具が前記第１溝に嵌合した状態で少なくとも部分的に前記第１溝の第１溝側面に圧接するように構成されている。
【課題を解決するための手段】
【０００８】
上記出発技術を基本として、上記課題を解決するため、本発明によるパネルは、側面および脚底面を有した継手具の脚ならびに底部に対向する継手具の基底部は、２枚のパネル材が互いに組み付けられる前および後に、突出部の内側面およびロックアームの底部と接触している。さらに、ロックアームの突出部は底層の方向に楔形状を有し、この突出部の内側面はロックアームの底部ないしパネル材の底面に対して鋭角をなして傾斜している。さらに、ロック転動部は２枚のパネル材の嵌合連結に際して前記継手具の前記頭部を押圧する平坦な少なくとも１つの押圧面を有し、これにより前記頭部は溝底の方向に傾倒させられる。
【０００９】
本発明による継手具と従来のほぼ半円状または半割れ楕円筒状の樋形継手具の間の類似性は、継手具の頭部が樋形継手具の一方の端縁に対応し、継手具の脚が樋形継手具の該端縁とは反対側に位置する樋ビードに対応していることである。
【００１０】
さらに、すでに敷設されているパネル材に向かって押し入るパネル材はカウンタパネルとも称される。たとえば、「上」、「上側」、「下」、「下側」、「下方」、「上方」などの用語は、図面からも読み取れるように、土台上に敷設されたパネル材を基準としている。またさらに、独立した別体の継手具はプロファイル材とも称される。
【００１１】
本発明による構成は、ふつう嵌合連結を形成する部材すなわちロックアームの突出部と底部の方向を向いたカウンタパネルのロック転動部とが互いに密に拘束し合うと共に、双方のパネル材の突合せ面が互いに面状接触して水平方向におけるパネル材のロックを保証しており、いわゆる嵌め合いによる接続に類似した構成である。国際公開公報第２００８／００４９６０号（特許文献１）に開示された公知の解決方法の場合には、この前提条件は、継手具が溝から外される場合にも満たされる。特許文献１に開示された独立した別体の継手具は、本来の嵌合連結を形成する面の外部にある。
【００１２】
見逃してはいけない点は、本発明による解決方法における嵌合連結が、双方のパネル材の組み付け後、上記突出部の上記内側面とパネル材の組み付け時に継手具に係合する上記ロック転動部の間にリブ状の脚が位置することによって、初めて実現するということである。万一、継手具が外されるとすれば、それによって隙間が生ずるために、嵌合連結について論ずることはできない。こうした状態では、双方のパネル材は水平方向ならびに垂直方向のいずれについても相互のずれが防止されていないことになる。本発明によるプロファイル材は同時に双方の方向へのロックを保証し得るという点が大きな長所である。
【００１３】
好ましくは、本発明による上記の独立した別体の継手具はプラスチックから製造されている。該継手具用の適切なプラスチックとしては、熱可塑性樹脂たとえばポリエチレン（ＰＥ）、ポリプロピレン（ＰＰ）、ポリスチレン（ＰＳ）、ポリアミド（ＰＡ）、ポリカーボネート（ＰＣ）、ポリエチレンテレフタレート（ＰＥＴ）等、ならびに、いわゆるエンジニアリングプラスチックたとえばスチレン共重合体（ＡＢＳ）、ポリアミド（ＰＡ）、ポリカーボネート（ＰＣ）、ポリエチレンテレフタレート（ＰＥＴ）、ポリメチルメタクリレート（ＰＭＭＡ）、ポリオキシメチレン（ＰＯＭ）、フッ素樹脂（テフロン（登録商標））、ポリウレタン（ＰＵＲ）が提示される。
【００１４】
上記プロファイル材の脚はリブ状であるかもしくは一体的で中実に成形されることも可能で、その際、決定的に重要な点は、プロファイル材の脚が傾斜した側面を有しており、脚底面に対する該側面の傾斜角が上記突出部の上述した鋭角に一致していることである。それゆえ、組み付けられた上記プロファイル材の上記の脚および基底部は、カウンタパネルが沈められて押し込まれる前および後に、上記ロックアームにほぼ相補係合して密着可能である。
【００１５】
この継手具はその基底部から上記可傾式アーム部への移行領域に、上記継手具の長手方向に延びる、外側に突き出した少なくとも１つの突起を有することも可能である。この突起は上記継手具が嵌設された状態で第２溝の溝側面に接触してもよい。
【００１６】
上記プロファイル材はいわゆる一体型プラスチックで製造されていてもよい。この種のプロファイル材は、たとえば、硬質の脚と、頭部に連設してゆく比較的軟質のアーム部とを有することができる。この場合、上記頭部と上記の脚とは、プロファイル材のその他の部分の材料よりも剛的に形成されていてよい。上記プロファイル材は平滑な表面および／または粗面化された表面を有してもよい。
さらに、上記プロファイル材は、金属、木質材料または複合材料から製造してもよい。
【００１７】
上記プロファイル材は少なくともそのアーム部領域が弾性変形可能とされていてよい。上記プロファイル材の弾性はプロファイル材の厚さを適切に絞るかまたは上記アーム部から脚部への移行領域をゆるやかに形成することによって補強することが可能である。
【００１８】
ここでの頭部は、帯状の、嵌設された状態で上述した第１溝側面に対向する平坦な圧接面を有しており、該圧接面はまた、プロファイル材の断面で見て、下向きの傾斜したまたは丸み付けられた滑り面に連設させてよい。
好ましくは、このプロファイル材を収容するための上記の溝の上記第１溝の上側側面はパネル材の有用面ないし底面に対して平行に延び、第２溝の下側側面はパネル材の有用面ないし底面に対して斜めをなして延びており、その際、上記の溝下側側面はロックアームの底部につながっている。これらの上下双方の溝側面は、有用面に対して垂直に配置された、上述した溝の溝底につながっている。このように構成された上記の溝は頭部を傾倒させるための十分な余地を有している。頭部に形成された平坦な圧接面は、カウンタパネルの押し込み沈下とは係わりなく、嵌設された状態で溝の上側側面と面状接触するかまたは該溝側面を圧接している。
【００１９】
ロックアームの底部は、好ましくは上記底面と平行をなして延びて、脚および継手具の胴体の基底部を支持する支持面を形成するように構成されるとよい。その平坦な脚底面がリブ状の脚の脚底面よりも幅広に形成されている一体中実成形された脚の収容には、特に、平坦なまたは段付けされた底部が適している。
【００２０】
ロックアームの底部には、溝と平行に延びる少なくとも１条の窪みが形成されると好都合で、この窪みは好ましくは上記底部のほぼ中央に位置し、常に、傾斜した溝下側側面の外側に位置することになる。嵌設された上記プロファイル材の底部、したがって、その基底部は、上記の窪みによって係合支持可能である。それゆえ、組み付け嵌設された本発明によるプロファイル材には、プロファイル材の少なくとも３個の接触面がそれぞれ下側パネル材、つまり、上記突出部の傾斜した内側面、上記ロックアームの底部および上記第１溝の溝上側側面と接触しているという原理が当てはまる。このようにして固定されたプロファイル材は下側パネル材の上記側面に確実に着座し、同所から自ずと逸脱する可能性はほぼ皆無である。
【００２１】
本発明の特に好適な実施形態において、下側パネル材と上記プロファイル材の間に第４の接触面が設けられ、この第４の接触面は、上記プロファイル材から突き出した弾性リブによるかまたは、嵌設された状態で上記第１溝の傾斜した溝下側側面に圧接する、上記プロファイル材から突き出した少なくとも１つの弾性タングによって形成されており、これによって、嵌設座に収容された上記プロファイル材のさらに安定した位置保全が達成される。
【００２２】
上記頭部は、すでに敷設されているパネル材の底部に向かって他方のパネル材が沈められて押し込まれる際に、上記ロックアームの底部に設けられた上記の窪みないし段を中心とした傾倒運動を行うことができる。したがって、上記プロファイル材の上記アーム部も傾倒させられる。その際、上記継手具の上記の脚は上記突出部の上記内側面に接したままであると共に、上記プロファイル材の上記基底部は不動のままに保たれる。
【００２３】
上記プロファイル材はメーカーサイドで人力または機械ないし自動装着構成により、パネル材に既設の溝に圧嵌めされていてよい。上記プロファイル材の装着されたパネル材はそのままの形で倉庫保管ならびに販売が可能である。
上記プロファイル材がプラスチックから製造される場合、量産品として安価に提供することが可能である。
【００２４】
本発明による上記プロファイル材は実質的にパネル材の短辺側用のものである。ただし、上述したような独立した別体の継手具が相応して適合されている限り、この継手具は長尺のパネル材側面にも組み込むことも可能である。
【００２５】
カウンタパネル側に配されたロック転動部に有用面に対して斜めに配置された押圧面が設けられ、該押圧面によって頭部の平坦な圧接面、ただしとりわけ、丸み付けられたもしくは傾斜させられた滑り面に圧力が及ぼされるようにするのが有利である。下方を向いたロック転動部に設けられた上記の傾斜した押圧面は有用面に対して４５°以上、好ましくは６０°の角度をなしている。この大きさの角度によって、着座からの頭部の逸脱を防止し、頭部に対するロック転動部の最適な滑りが保証される。
【００２６】
ロック転動部の丸み付けられた表面は、頭部を収容するための鋭角をなすほぼＶ形の移行部が形成されるようにして、パネル材の上側突合せ面から後方に引っ込んだ斜面に連続するようにすることができる。
ただし、頭部は上記ロック転動部を担持するパネル材に形成された溝に係合するようにすることも可能である。好ましくは、この溝は台形状をなしている。
【００２７】
ロック転動部の丸み付けられた表面は、有用面に対して傾斜してもしくは垂直をなして配置された平坦な面を経て、ロック転動部を担持するパネル材に設けられた下方に向かって開いた切り欠き部に連設するのが有利である。その際、好ましくは、脚の上部には、上述した平坦な面に適合した帯状の内側面が形成される。
【００２８】
パネル材自体は、プラスチック、金属、紙またはその他の再生可能原材料たとえばコルクを含む木質材料から製造することができる。これらのパネル材は、それ自体公知のＨＤＦまたはＭＤＦパネルと同様、一体中実構造または層構造をなして製造され、透明または半透明の合成樹脂からなる少なくとも１層で被覆された木製化粧層またはタイル化粧層を形成してもよい。これらのパネル材には抗菌材および／または耐火材が備えられていてよい。
上記のパネル材は、フロアパネル、壁面被覆パネルまたは家具用部品として使用可能である。
【図面の簡単な説明】
【００２９】
【図１】２枚のパネル材のそれぞれ一方の、継手具を除外した側面領域の断面を示す断面模式図である。
【図２】２枚のパネル材のそれぞれ一方の、継手具を除外した側面領域の断面を示す断面模式図である。
【図３】継手具が嵌設されたパネル材の断面を示す断面模式図である。
【図４】継手具が嵌設されたパネル材の断面を、頭部の２つのポジションと共に示す断面模式図である。
【図５】継手具の嵌設された２枚のパネル材が嵌合連結される際の断面を、押し込み連結されるパネル材の３つのポジションのうちそれぞれ１ポジションによって示す断面模式図である。
【図６】継手具の嵌設された２枚のパネル材が嵌合連結される際の断面を、押し込み連結されるパネル材の３つのポジションのうちそれぞれ１ポジションによって示す断面模式図である。
【図７】継手具の嵌設された２枚のパネル材が嵌合連結される際の断面を、押し込み連結されるパネル材の３つのポジションのうちそれぞれ１ポジションによって示す断面模式図である。
【図８】第一の実施形態の継手具の輪郭を示す断面図である。
【図９】図８に示した継手具の斜視図である。
【図１０】一体中実成形された脚を備えた継手具の輪郭を示す断面図である。
【図１１】図８に示した継手具の変形実施形態の同じく輪郭を示す断面図である。
【図１２】一体中実成形された脚を備えた別の継手具の輪郭を示す断面図である。
【図１３】パネル材の突出部と側面溝の間に配設された、図１２に示した継手具の断面を示す断面模式図である。
【図１４】一体中実成形された脚を備えたさらに別の継手具の輪郭を示す断面図である。
【図１５】パネル材の突出部と側面溝の間に配設された、図１４に示した継手具の断面を示す断面模式図である。
【図１６】敷設済みの、図１および図２に示したパネル材の断面（ただし、継手具を除く）を示す断面模式図である。
【図１７】頭部の端部が斜め切りされた別の継手具を、該継手具の脚の側面方向から眺めた平面図である。
【図１８】頭部の端部が斜め切りされた別の継手具の輪郭を示す継手具側面図である。
【図１９】図１７および図１８に示した継手具の斜視図である。
【図２０】頭部の端部が斜め切りされていない、図１７および図１８に示した継手具を、該継手具の脚の側面方向から眺めた平面図である。
【図２１】頭部の端部が斜め切りされていない、図１７および図１８に示した継手具の輪郭を示す継手具側面図である。
【図２２】図２０および図２１に示した継手具の斜視図である。
【図２３】基底部からアーム部への移行領域に突起を有する継手具の輪郭を示す断面図である。
【図２４】図２３に示した継手具の斜視図である。
【図２５】図２３に示した継手具が嵌設されて互いに連結された２枚のパネル材の断面を示す断面模式図である。
【図２６】別の突起を備えた継手具の輪郭を示す断面図である。
【図２７】図２６に示した継手具の斜視図である。
【図２８ａ】図２６および図２７に示した継手具が嵌設されて互いに連結された２枚のパネル材の断面を示す断面模式図である。
【図２８ｂ】図２８ａに示した互いに連結されたパネル材の断面を、概略的に示した中くぼみ底と共に示す断面模式図である。
【図２９】屈曲した突起と丸められた脚とを有するさらに別の継手具の輪郭を示す断面図である。
【図３０】図２９に示した継手具の斜視図である。
【図３１】図２９に示した継手具が嵌設されて互いに連結された２枚のパネル材の断面を示す断面模式図である。
【図３２】図２９に示した−ただし、頭部の端部が斜め切りされていない−継手具の輪郭を示す断面図である。
【図３３】図３２に示した継手具の斜視図である。
【図３４】別のリブ状突起を備えた継手具の輪郭を示す断面図である。
【図３５】図３４に示した継手具が嵌設されて互いに連結された２枚のパネル材の断面を示す断面模式図である。
【図３６】図３４に示した継手具の一部の斜視図である。
【図３７】図３４に示した−ただし、改変された脚を備えた−継手具の輪郭を示す断面図である。
【図３８】図３７に示した継手具が嵌設されて互いに連結された２枚のパネル材の部分断面図である。
【図３９】図３７に示した継手具を示す一方側からの斜視図である。
【図４０】図３７に示した継手具を示す他方側からの斜視図である。
【図４１】突き出したタングを有する継手具の輪郭を示す断面図である。
【図４２】図４１に示した継手具が嵌設されて互いに連結された２枚のパネル材の部分断面図である。
【図４３】図４１に示した継手具の、タング可視側から眺めた斜視図である。
【図４４】図４１に示した継手具の内側を示す斜視図である。
【図４５】図４１に示した継手具を該継手具の脚の側面方向から眺めた平面図である。
【図４６】図４１に示した継手具を頭部の上方から眺めた平面図である。
【図４７】図４１に示した−ただし、改変された脚を備えた−継手具の輪郭を示す断面図である。
【図４８】図４７に示した継手具が嵌設されて互いに連結された２枚のパネル材の部分断面図である。
【図４９】図４７に示した継手具の内側を示す斜視図である。
【図５０】図４７に示した継手具を該継手具の脚の側面方向から眺めた平面図である。
【図５１】図４７に示した継手具を頭部の上方から眺めた平面図である。
【図５２】図３７に示した−ただし、改変された頭部を備えた−継手具の輪郭を示す断面図である。
【図５３】図５２に示した継手具が嵌設されて互いに連結された２枚のパネル材の部分断面図である。
【図５４】図３７に示した−ただし、別の実施形態での頭部を備えた−継手具の輪郭を示す断面図である。
【図５５】図５４に示した継手具が嵌設されて互いに連結された２枚のパネル材の部分断面図である。
【図５６】上方から眺めたフロアの斜視図である。
【発明を実施するための形態】
【００３０】
図１、図２および図１６は、パネル材１.１がすでにその上に敷設されている土台１１の方向に向かってパネル材１.２（カウンタパネル）が押し込み連結される前後の２枚のパネル材１.１、１.２を示している。これらの図では、以下になお詳細な説明が行われる独立した別体の継手具が、図面の見易さを考慮して図示されていないことを断っておく。
【００３１】
双方のパネル材１.１、１.２はそれぞれ、表層３９と、底層４０と、両者にサンドイッチされた木質材料からなる芯層３８とから構成されている。表層３９は、その表面が歩行面ないし有用面６を形成する化粧層４１を備えている。底層４０も、土台１１に対向する底面２６を有している。
【００３２】
パネル材１.１は、有用面６と底面２６によって境界付けられ、突合せ面７.１と、突合せ面から後方に引っ込んだ（本体側に入り込んだ）第１溝９と、突合せ面７.１を越えて張り出して、上方に向かって突き出た突出部１５を有したロックアーム１４とを備えた特定形状形成された第１側面（プロファイル形状側面と名づけることができるが、特定の係合構造を有する側面を意味する）８.１を有することを特徴としている。
【００３３】
第１溝９の断面は多角形状をなし、突合せ面７.１から後方に引っ込んだ溝底１０を有しており、該溝底は突合せ面７.１と平行平面をなして配置され、有用面６と平行平面をなして延びる溝上側側面１３と斜め方向に向いて延びる溝下側側面２３とにそれぞれつながっている。後者つまり溝下側側面はまた、ロックアーム１４の、底面２６と平行をなす底部３５につながっており、底部３５の中央には側面８.１に沿って延びる窪み３６が形成されている。
【００３４】
ロックアーム１４の突出部１５は台形状をなし、底層４０の方向に向かって楔形状を有し、該突出部には、底部３５に対して鋭角αをなして傾斜した内側面１７が形成されている。この角度αは本実施形態において８０°〜８５°であり、この範囲内で変化してよい。
【００３５】
図１と図２８ｂとから理解できるように、ロックアーム１４の底部３５と、突出部１５の内側面１７と、第１溝９ないし該溝の溝上側側面１３とによって、継手具を収容するための嵌設座６０が形成されている。
【００３６】
パネル材１.２は、歩行面と底面６、２６によって境界付けられ、突合せ面７.２と、突合せ面７.２から後方に引っ込んだ斜面１９と、下方に向いたロック転動部２０とを備えた特定形状形成された第２側面（プロファイル形状側面とも呼ばれ、特定の係合構造を有する側面を意味する）８.２を有することを特徴としている。斜面１９はロック転動部２０と連携して深く鋭く入り込んだＶ形の移行部２５を形成している。
【００３７】
ロック転動部２０には、有用面６との間に鋭角を形成して、斜面１９とほぼ平行をなして配置された押圧面２１.１が形成されている。この鋭角は好ましくは６０°である。ロック転動部２０は、パネル材１.１の突出部１５を収容するために下方に向かって開いた切り欠き部３７につながっている。
【００３８】
図１６には、双方の突合せ面７.１、７.２が互いに接触した際に、ロック転動部２０と突出部１５の間に形成される比較的幅広の隙間Ｓが認められる。この場合、パネル材１.１、１，２は、水平方向にも、垂直方向にも、互いにロックされていない。
【００３９】
土台１１上に敷設されたパネル材１.１、１.２の同様な状態は図７からも看守される。ただしこの場合には、独立した別体の継手具２.１（プロファイル材）が嵌設されているために、隙間Ｓ（図１６、参照）は該プロファイル材のリブ状の脚１２.１によって完全にふさがれている。パネル材１.１、１.２は嵌設されたプロファイル材２.１と一体連携して、該プロファイル材が双方の方向（図７、参照、矢印Ｘ、Ｙ方向）にロック効果をもたらす手段１００を形成する。
【００４０】
ほぼ樋形をなすプロファイル材２.１（図８および図９、参照）は、半割れ円筒状の内周面４と、同じく半割れ円筒状の外周面２８と、頭部５.１と、脚１２.１とが認められる断面Ｑ１を有している。内周面と外周面４、２８は、頭部５.１から脚１２.１に達する樋形胴体３の内外の境界をなしている。
【００４１】
図９に示したプロファイル材２.１は比較的短く、したがって、パネル材の短辺側用のものである。その長さＬは実質的に短辺側の寸法に一致しているかまたはそれよりもわずかに短い。図５６に概略的に図示したフロア３４は、それらの短辺側が独立した別体の継手具を介してロックされ、長辺側が従来の、図中不図示の溝・ばね継手具を介してロックされた上述した複数のパネル材１.１、１.２から構成されている。
【００４２】
脚１２.１は、その傾斜角が角度α（図２、参照）に等しい傾斜した側面２４を有している。さらに、脚１２.１は脚底面２７と、脚底面２７に対応し、上記の半割れ円筒状の内周面４に連続する縦長の上部端縁１６とを有している。
【００４３】
頭部５.１の重要な特徴の一つは、その内側がさらに別の斜めの滑り面２２によって境界付けられた上側圧設面１８を有していることである。
【００４４】
パネル材１.１に圧嵌めされたプロファイル材２.１は図３および図４にも示されている。頭部５.１は溝上側側面１３と接触して、突合せ面７.１を越えて突き出ている。脚１２.１は脚底面２７で底部３５に係合支持され、側面２４で突出部１５の内側面１７にそれぞれ係合支持されている。胴体３もまた、そのアーチ形の下側基底部４２で窪み３６（図３、参照）に係合支持されている。こうして、プロファイル材２.１はパネル材１.１に固定されて、嵌設座６０からの逸脱が防止されている。
【００４５】
図４から読み取れるように、胴体３の、基底部４２までに達するアーム部４３は柔軟に形成されている。頭部５.１はアーム部４３によって担持されているために、該頭部も基底部４２に対して傾倒可能ないし揺動可能に配置されている。
【００４６】
図５、図６および図５６には、カウンタパネル１.２が土台１１上に押し込み連結される姿が示されている。カウンタパネルは旋回軸Ａ（図５６、参照）を中心にして旋回させられる。図５に示した状態で、ロック転動部２０は下方に向かって押し込まれる。該円筒体はすでに敷設されているパネル材１.１の突合せ面７.１を経て滑動し、該円筒体の傾斜した押圧面２１は頭部５.１に当接するに至る（図５および図６、参照）。その後、ロック転動部２０は該円筒体の押圧面２１によって、図８に示した頭部の圧接面１８と滑り面２２を越えて滑動する結果、頭部は溝底１０の方向にねじり傾倒させられ、次いで、図７に示したロッキングポジションに達し、該ロッキングポジションにおいて頭部５.１は斜面１９がロック転動部２０に移行するＶ形をなす移行部２５に係合する。
【００４７】
この場合、プロファイル材２.１はすでに敷設されているパネル材１.１の底部３５の方向に向かってカウンタパネル１.２が押し込み連結される際にねじり傾倒に付され、頭部５.１は徐々にねじり傾倒させられて先ず、パネル材の旋回軸Ａに近い端部３１が、続いて、プロファイル材のもう一つの端部３２がそれぞれ完全に溝上側側面１３の下に達する。本実施形態において、ねじり傾倒とはプロファイル材の一部のみのねじり傾倒、つまり、アーム部４３と頭部５.１との傾倒として理解されることとし、他方、脚１２.１の位置は不変のままである。
【００４８】
図１０は、継手具２.１と同様な構造を有するが、リブ状の脚に代えて一体中実成形された脚３０が設けられている点で相違している継手具２.２を示している。このプロファイル材は、一体中実成形された脚３０の脚底面２７が基底部４２にまで達している断面Ｑ２を有している。プロファイル材２.１に代えてプロファイル材２.２を使用することが可能であるが、図には示されていない。
【００４９】
別の類似したプロファイル材の実施形態（符号２.３）は、図１１に示した断面Ｑ３を有している。胴体３はその中央区域つまりその基底部４２に、平坦な下側面２９を有している。ロックアーム１４の図中不図示の底部も、プロファイル材２.３用に適合された面（不図示）を有している。
【００５０】
図１２は、一体中実成形された脚３０がプロファイル材の下側基底部４２を経て可傾式のアーチ形アーム部４３につながっており、こうして、下側の平坦な脚底面２７が上記のアーム部４３にまで達している、さらに別のプロファイル材２.４の断面Ｑ４を示している。図１３から読み取れるように、プロファイル材２.４はその脚底面２７によって、ロックアーム１４の同じく平坦に形成された底部３５上に載設されている。底部３５の幅は脚底面２７の幅と同じである。したがって、アーム部４３はプロファイル材の移行領域４５（底部３５と傾斜した溝下側側面２３との移行部に対応している）を中心にしてねじり傾倒可能である。
【００５１】
図１４は、プロファイル材２.４とほぼ同じ構造を有する別のプロファイル材２.５の断面Ｑ５を示している。ただし、このプロファイル材２.５はアーム部４３への移行領域４５に段が形成されている。プロファイル材２.５の基底部４２は、突出部１５の側面２４と胴体３の段５１の間を延びる下面をなす平坦な外側面４４を有している。プロファイル材２.５に設けられた段５１は、ロックアーム１４の底部に設けられた溝６１の比較的丈の低い溝側面３３.１に適合している（図１５、参照）。溝６１に嵌設された継手具２.５はまた、その頭部５.１によって第１溝９の溝上側側面１３に圧接する。こうして、継手具２.５は、頭部５.１を担持するアーム部４３の所要の可傾性を損なうことなく、パネル材１.１の嵌設座に位置保全されて配設されている。
【００５２】
図１８は、図８に示したプロファイル材２.８の発展形態をなすプロファイル材２.１５の断面（符号Ｑ１５）を示している。プロファイル材２.１５の、脚１２.１の上部端縁１６から開始する半割れ円筒状の内周面４は、頭部５.１に達する平坦な面区域６３に移行している。
【００５３】
図１７および図１９が示しているように、頭部５.１はプロファイル材２.７の両端３１、３２の箇所でそれぞれ斜め切りされ、押し込みエッジ４９.１、４９.２が形成されている。
【００５４】
プロファイル材２.１５は、図２０、図２１および図２２にも示されている。この場合、頭部５.１に配置された内側自由エッジ７５は継手具の全長Ｌに沿ってまっすぐに延びており、押し込みエッジは形成されていない。このプロファイル材はその他の点では、図１７〜図１９に示したプロファイル材と同じである。
【００５５】
図２３には、さらに別のプロファイル材２.６の断面Ｑ６が表されている。プロファイル材２.６のおおよそ半割れ円筒状の内周面４は、一方で、脚１２.４の縦長の端縁１６に至る帯状の平坦な内側面５４につながっており、他方で、頭部５.２にまで達する平坦な面区域６３につながっている。
【００５６】
脚１２.４は２つの肉厚寸法（上部端縁領域の肉厚寸法ａおよび脚底面２７を終端とする下部領域の薄肉の肉厚寸法ｂ）を有している。
【００５７】
頭部５.２は上述した圧接面１８と滑り面２２とを有しているが、このプロファイル材の両端３１、３２には斜め切りされた押し込みエッジ４９.１、４９.２（図２４を参照）が形成されている。さらに、断面Ｑ６から、上側の平坦な圧接面１８はやや傾斜した区域７６を経て滑り面２２につながっていることが読み取れる。
【００５８】
さらに、プロファイル材２.６は該プロファイル材の長手方向に延びる、外側に突き出した隆起状の突起４８.１を有しており、該突起は基底部４２から可傾式アーム部４３への移行領域４７に配置されている。図２５から読み取れるように、突起４８.１は、プロファイル材が嵌設された状態で、ロックアーム１４の底部３５と、溝６２に設けられた比較的丈の低い、底部３５に対して垂直に配置された溝側面３３.２とに接触している。溝６２は、上記の溝側面３３.２と、突出部１５の内側面１７と、窪み３６が彫設された底部３５とによって形成されている。
【００５９】
ロック転動部２０（図２５、参照）は、斜めの押圧面２１.１と、押圧面２１.１につながっており、有用面６に対して垂直に配置されたさらなる押圧面２１.２と、頭部５.２がその下側面６５で係合支持される傾斜した係合支持面６４とによって形成されている。傾斜した係合支持面６４は斜面１９と連携して非対称的なＶ形溝６６を形成し、同所に頭部５.２が係合して、該頭部はその圧接面１８で第１溝９の溝上側側面１３に接触し、その下側圧接面６５で傾斜した係合支持面６４に接触している。さらに、アーム部４３の平坦な面区域６３はロック転動部２０の押圧面２１.２と接触している（ロック転動部２０が押し込み嵌設された後；図２５、参照）。
【００６０】
図２６から、突起４８.２が設けられ、図２３で述べた各部と、頭部５.２と、脚１２.４とを有したさらに別のプロファイル材２.７の断面が認められる。基底部４２の外周面２８は、突起４８.２の自由端の側面６７までつながっている。突起４８.２は、アーム部４３から基底部４２への移行領域４７の方向に向かって徐々に拡幅していく。アーム部４３自体は、頭部５.２を担持するまっすぐに延びる上部アーム区域６８と、まっすぐに延びて基底部４２に連続する下部アーム区域６９とを有している。これら双方のアーム区域６８と６９とは互いに鈍角εをなして配置されており、これは本実施形態において約１５０°である。
【００６１】
図２７が示しているように、頭部５.２は同じくまっすぐに延びる内側エッジ７５を有している。
【００６２】
プロファイル材２.７の使用は図２８ａおよび図２８ｂに示されている。
【００６３】
ロックアーム１４の底部３５はやや中くぼみ状をなしており、突出部１５の内側面１７および突出部とは反対側の溝側面３３.２と連携して溝５０を形成している（図２８ｂ、参照）。溝側面３３.２と突出部１５の内側面１７とは互いに傾斜して、鋭角βを形成している。この鋭角βは本実施形態において５°〜１０°の角度範囲内にあり、その範囲内で多少変化してよい。
【００６４】
この実施形態においても、継手具２.７を収容するための嵌設座６０（図２８ｂ、参照）が存在している。この嵌設座は、第１溝９と、突出部１５の傾斜した内側面１７およびロックアーム１４の底部３５（場合により、溝５０と言ってもよい）とによって形成されている。この場合、嵌設座６０に嵌設されたプロファイル材２.７はその頭部５.２で第１溝９の溝上側側面１３に圧接する。
【００６５】
ロック転動部２０（図２８ａ、参照）は、図２５に示した実施形態の場合と同様に構成されている。ただし、プロファイル材２.７の内周面４のみならず、アーム区域６８と６９とを有したアーム部４３もロック転動部２０の形状に適合されている。頭部５.２はＶ形溝６６に係合し、その下側圧接面６５で溝６６の係合支持面６４に係合支持される。係合支持面６４は底面２６に対して鋭角λをなして傾斜している。角度λを限定する直線ｃ（図２８ａ、参照）は底面２６を模している。角度λは本実施形態において約１０°である。嵌設された状態における頭部５.２のこうした配置は図２３〜２５に示した実施形態にも当てはまる。
【００６６】
こうして、継手具２.７は、頭部５.２を担持するアーム部４３の所要の可傾性を損なうことなく、パネル材１.１の嵌設座６０に位置保全され収容されている。
【００６７】
図２９は、プロファイル材２.７に類似したさらに別のプロファイル材２.８の断面Ｑ８を示している。同じ部分には同一の符号が付されている。プロファイル材２.８は、丸み付け部７０によって脚１２.４とは異なる脚１２.２を有している。外側に突き出した突起４８.３の屈曲した自由端７１は上方を向いている。この突起４８.３はリブ状と称することができる。
【００６８】
図３０から読み取れるように、頭部５.２はプロファイル材２.８の両端３１、３２でそれぞれ斜め切りされ、押し込みエッジ４９.１、４９.２が形成されている。
【００６９】
プロファイル材２.８の使用は図３１に示されている。プロファイル材２.８はその基底部４２を以って、図２８ａに示した実施形態の場合と同様、溝５０に押し込まれている。頭部５.２は、プロファイル材が嵌設された状態で、Ｖ形溝６６に係合し、その下側圧接面６５によって溝６６の係合支持面６４に係合支持されている。ロック転動部２０の斜めの押圧面２１.１とアーム部４３の間にはわずかな隙間７２が残されている。
【００７０】
図３２および図３３には、押し込みエッジの形成されていない同じプロファイル材２.８が表されている。同図によれば、頭部５.２はまっすぐに延びる内側エッジ７５を有している。
【００７１】
以下の一連の図は、本発明の特に好適な実施形態を表している。
【００７２】
たとえば、図３４は、突起に代えて、図２９に示した突起４８.３に比較して顕著に丈の高い、外側に突き出した安定化リブ５５を有したプロファイル材２.９の断面Ｑ９を示している。リブ５５は弾性変形可能であるため、嵌設された状態でその外側面７３によって、溝９の傾斜した溝側面２３に当接係止して支持されることができる。この状況は図３５から理解することができる。アーム部４３は、上側圧接面１８ならびに、図３４および図３６に明確に示された丸み付けられた滑り面５３を有する頭部５.３を終端としている。この頭部５.３は−組み付けられた状態（図３５、参照）で、やや上方に向かって傾斜し、図２８ａに示した角度と同じ角度λを形成する上述の下側圧接面６５を有することも特徴としている。
【００７３】
頭部５.３の基底部４２は脚１２.３を終端としており、この脚部の上部内側面５４は側面２４との間に鋭角γを形成している。したがって、脚１２.３の上部領域は端縁１６の方向に向かってテーパー形成（楔形状化）している。胴体３の内周面４ならびにロック転動部２０の丸み付けられた下側表面は半割れ楕円筒状をなしている。ロック転動部２０は、一方で、平坦な押圧面２１.１；２１.２により、他方で、パネル材１.２に形成された下方に向かって開いた切り欠き部３７に連続する平坦な内側面５９によって境界付けられている。
【００７４】
ロック転動部２０が下方に向かって押されると、該円筒体はその押圧面２１.１；２１.２によって頭部５.３の丸められた滑り面５３を押圧して下方に運動し、その結果、頭部は台形状の溝５２に係合すると共に、アーム部４３は押圧面２１.２と接触するに至る。その際、ロック転動部２０の内側面５９は脚１２.３の上部内側面５４と接触している。互いに接触している内側面５４；５９はパネル材の有用面６との間に、図３５に示した鈍角δ２を形成している。切り欠き部３７の上部領域は下方に向かってわずかに拡幅している。
【００７５】
図３７に示した断面Ｑ１０は、すでに図２３に示した脚１２.４が設けられているプロファイル材２.１０を表している。プロファイル材２.１０は、その他の点では、プロファイル材２.９（図３４、参照）と同じ各部を有しており、それらは同じ符号で表されている。
【００７６】
図３４に示された脚１２.３に形成された内側面５４に比べ、図３７に示した脚１２.４の上部に形成されている内側面５４は内方に傾斜している。この内側面５４は嵌設された状態（図３８参照）で、ロック転動部２０の内側面５９に接触する。
頭部５.３は嵌設された状態（図３８参照）で、ロック転動部２０の適合する面と接触する、同じく、上方に向かって先端側に延びるやや傾斜した下側圧接面６５を有している。ロック転動部２０の内側面５９は同時に、切り欠き部３７の溝側面を形成している。図３８から読み取れるように、切り欠き部３７の内側面５９は下方に向かってややテーパー形成している。これにより、互いに接触している内側面５４、５９は有用面６に対して鋭角δ１をなして配置されていることになる。有用面６に向かって垂線Ｔを引けば、上記の内側面５４、５９は垂線Ｔとの間に鋭角の余角δ３を形成し、双方の角度δ１、δ３の和は９０°である。また、図３８から理解できるように、丸み付けられた頭部５.３の下側圧接面６５は底面２６に対して既述した鋭角λをなして傾斜している。
【００７７】
図３９および図４０には、プロファイル材２.１０が２つの斜視図で表されている。これらの図は、頭部５.３は同じく、まっすぐに延びる内側エッジ７５を有しており、押し込みエッジは形成されていないことを示している。
【００７８】
図４１には、符号２.１１の付されたさらに別のプロファイル材の断面Ｑ１１が表されている。プロファイル材２.１１はさらに別の図４３および図４４にそれぞれ斜視図で表されており、図４５、４６にはプロファイル材の内部を示す平面図と、頭部５.３の上側を示す平面図がそれぞれ表されている。胴体３の内周面４ならびにロック転動部２０の丸み付けられた下側表面はそれぞれ半割れ楕円筒状をなしている。
【００７９】
プロファイル材２.１１の重要な特徴をなしているのは、外側に向かって突き出したばね弾性変形可能な方形タング５６.１、５６.２、５６.３、５６.４、５６.５であり、これらのタングは基底部４２から可傾式アーム部４３への移行領域４７（図４２、参照）から開始して、変形前のアーム部４３に対して斜めをなして延びている。これらのタング５６.１、５６.２、５６.３、５６.４、５６.５はプロファイル材２.１１と一体の材料により射出成形法にて製造されている。さらに、突き出たタング５６.１、５６.２、５６.３、５６.４、５６.５は胴体３の材料中にそれぞれ窓５８.１、５８.２、５８.３、５８.４、５８.５を形成しているのが有利である。
【００８０】
図４４、図４５および図４６が示しているように、プロファイル材２.１１は２つの押し込みエッジ４９.１、４９.２を備えている。図４３に示したプロファイル材２.１１の実施形態において、押し込みエッジは設けられていない。
したがって、この場合、頭部５.３はまっすぐに延びる内側エッジ７５を有している。図４３には、３個のタング５６.１、５６.２、５６.３ならびに、３個の窓５８.１、５８.２、５８.３のみ示されている。
張り出したタング５６.１、５６.２、５６.３、５６.４、５６.５はプロファイル材に沿って互いに同じ間隔ｄ（図４３および図４６、参照）を保って配置されている。
【００８１】
プロファイル材２.１１の使用は図４２に示されている。ロック転動部２０はプロファイル材の基底部４２に圧接し、その際、頭部５.３は台形溝５２に係合し、アーム部４３は押圧面２１.２に接触している。互いに接触している内側面５４と５９はパネル材の有用面６との間に図４２に示した鋭角δ１を形成している。切り欠き部３７は下方に向かってややテーパー形成している。ばね弾性を有するタング５６.１、５６.２、５６.３、５６.４、５６.５は変形し、第１溝９の傾斜した溝側面２３に突っ張ることで係合支持されている。
【００８２】
図４７から、タング５６.１、５６.２、５６.３、５６.４、５６.５を備えたさらに別のプロファイル材２.１２の断面Ｑ１２が読み取れる。図４１に示したプロファイル材２.１１との相違は、脚１２.３の上部領域が、プロファイル材２.９（図３４、参照）の場合と同様、上方に向かってテーパー形成している点である。
【００８３】
プロファイル材２.１２の胴体３の内周面４ならびにロック転動部２０の丸み付けられた下側表面（図４８、参照）はそれぞれ半割れ楕円筒状をなしている。
プロファイル材２.１２は、図４９によって、プロファイル材の内周面を眺めた斜視図で示されていると共に、図５０、図５１には、プロファイル材の内部を示す平面図と、頭部５.３の上側を示す平面図とがそれぞれ表されている。これらの図は、頭部５.３はまっすぐに延びる内側エッジ７５を有しており、押し込みエッジは形成されていないことを示している。
【００８４】
嵌設されたプロファイル材２.１２は図４８に示されている。脚１２.３の内側面５４はロック転動部２０の内側面５９と共に鈍角δ２を形成している。ばね弾性を有するタング５６.１、５６.２、５６.３、５６.４、５６.５は第１溝９の傾斜した溝側面２３に突っ張ることで係合支持されている。
【００８５】
図５２には、図３７に示した断面Ｑ１０（プロファイル材２.１０）に非常に類似した断面を有する、符号２.１３で表された、さらに別のプロファイル材の断面（符号Ｑ１３）が表されている。プロファイル材２.１３は丸み付けられた頭部５.４を有しており、その下側圧接面６５はアーム部４３の内側面に設けられた平坦な面区域６３に対して屈曲して配置されている。頭部５.４の圧接面６５は嵌設された状態（図５３、参照）で、有用面ないし底面６；２６と平行平面をなして延びている。さらに、互いに接触している内側面５４；５９はパネル材の有用面６との間に、すでに示した鋭角δ１を形成している。ただし、たとえば、互いに接触している内側面５４；５９が鈍角δ２を形成するようにした、別形態の配置も可能である。
【００８６】
図５４は、符号２.１４の付されたプロファイル材の断面Ｑ１４を示しており、その詳細はプロファイル材２.１０（図３７を参照）から理解することができる。双方のプロファイル材間の相違は、プロファイル材２.１４が、プロファイル材２.１０とは異なり、脚１２.４の方向に向かって下方に傾斜した圧接面６５を備えた頭部５.５を有している点である。
【００８７】
この継手具が嵌設された状態（図５５、参照）において、圧接面６５はパネル材の有用面６ないし底面２６との間に鋭角ξを形成している。この鋭角ξの大きさは図３８に示された角度λの大きさとおおよそ一致している。したがって、この実施形態において角度ξは約３°〜５°であり、この範囲内で変化してよいことはいうまでもない。ただし、この角度ξは、接触している双方の面の好適な自動ロックを顧慮して、少なくとも２°であることが必要である。
【００８８】
胴体３の内周面４ならびに外周面２８は、脚１２.４から出発して可傾式アーム部４３への移行領域４７に至るまで、半割れ楕円筒状をなして延びている。
【００８９】
突起４８.１、４８.２、４８.３と、リブ５５と、タング５６.１、５６.２、５６.３、５６.４、５６.５とを備えたすべてのプロファイル材は、それぞれのプロファイル材の内周面４によって形成された内部空間にロック転動部２０が押し込み嵌設される前ならびに後におけるこれらプロファイル材のポジション安定性の向上を実現する。
【００９０】
尚、特許請求の範囲の項に図面との対照を便利にするために符号を記すが、該記入により本発明は添付図面の構造に限定されるものではない。
【符号の説明】
【００９１】
１.１；１.２    パネル材
２.１〜２.１５  継手具
３    胴体
４    内周面
５.１；５.２；５.３  頭部
６    有用面
７.１；７.２  突合せ面
８.１；８.２  側面
９    第１溝
１０  溝底
１１  土台
１２.１；１２.２  脚
１２.３；１２.４  脚
１３  溝側面
１４  ロックアーム
１５  突出部
１６  端縁
１７  内側面
１８  圧接面
１９  斜面
２０  ロック転動部
２１.１；２１.２  押圧面
２２  滑り面
２３  溝側面
２４  側面
２５  鋭角をなす移行部
２６  底面
２７  脚底面
２８  外周面
２９  下側面
３０  脚
３１、３２  端部
３３.１、３３.２  溝側面
３４  フロア
３５  底部
３６  窪み
３７  切り欠き部
３８  芯層
３９  表層
４０  底層
４１  化粧層
４２  基底部
４３  胴体部
４４  外側面
４５  移行領域
４６  表面
４７  移行領域
４８.１；４８.２；４８.３  突起
４９.１、４９.２  押し込みエッジ
５０  第２溝
５１  段
５２  溝
５３  滑り面
５４  内側面
５５  リブ
５６.１〜５６.５  タング
５７  曲げ線
５８.１〜５８.５  窓
５９  内側面
６０  嵌設座
６１  溝
６２  溝
６３  面区域
６４  係合支持面
６５  圧接面
６６  Ｖ形溝
６７  側面
６８、６９  アーム区域
７０  丸み付け部
７１  自由端
７２  隙間
７３  外側面
７４  外側面
７５  内側エッジ
７６  区域
ａ、ｂ  肉厚寸法
Ｑ１〜Ｑ１５  断面
Ｓ    隙間
１００  敷設されたパネル材に対して押し入る手段
【図１】
2012233400.tif 000003
【図２】
2012233400.tif 000004
【図３】
2012233400.tif 000005
【図４】
2012233400.tif 000006
【図５】
2012233400.tif 000007
【図６】
2012233400.tif 000008
【図７】
2012233400.tif 000009
【図８】
2012233400.tif 000010
【図９】
2012233400.tif 000011
【図１０】
2012233400.tif 000012
【図１１】
2012233400.tif 000013
【図１２】
2012233400.tif 000014
【図１３】
2012233400.tif 000015
【図１４】
2012233400.tif 000016
【図１５】
2012233400.tif 000017
【図１６】
2012233400.tif 000018
【図１７】
2012233400.tif 000019
【図１８】
2012233400.tif 000020
【図１９】
2012233400.tif 000021
【図２０】
2012233400.tif 000022
【図２１】
2012233400.tif 000023
【図２２】
2012233400.tif 000024
【図２３】
2012233400.tif 000025
【図２４】
2012233400.tif 000026
【図２５】
2012233400.tif 000027
【図２６】
2012233400.tif 000028
【図２７】
2012233400.tif 000029
【図２８ａ】
2012233400.tif 000030
【図２８ｂ】
2012233400.tif 000031
【図２９】
2012233400.tif 000032
【図３０】
2012233400.tif 000033
【図３１】
2012233400.tif 000034
【図３２】
2012233400.tif 000035
【図３３】
2012233400.tif 000036
【図３４】
2012233400.tif 000037
【図３５】
2012233400.tif 000038
【図３６】
2012233400.tif 000039
【図３７】
2012233400.tif 000040
【図３８】
2012233400.tif 000041
【図３９】
2012233400.tif 000042
【図４０】
2012233400.tif 000043
【図４１】
2012233400.tif 000044
【図４２】
2012233400.tif 000045
【図４３】
2012233400.tif 000046
【図４４】
2012233400.tif 000047
【図４５】
2012233400.tif 000048
【図４６】
2012233400.tif 000049
【図４７】
2012233400.tif 000050
【図４８】
2012233400.tif 000051
【図４９】
2012233400.tif 000052
【図５０】
2012233400.tif 000053
【図５１】
2012233400.tif 000054
【図５２】
2012233400.tif 000055
【図５３】
2012233400.tif 000056
【図５４】
2012233400.tif 000057
【図５５】
2012233400.tif 000058
【図５６】
2012233400.tif 000059